(57)【要約】【課題】  無線モデム／メモリ一体型カードを用いるデジカメにおいて、画像ファイルを外部機器に伝送中のときは、伝送が終了するまでは撮影ができなかった。【解決手段】  カードのメモリー領域に保存されていた画像データを伝送するときは、無線回線の品質、通信履歴を参照うる。回線品質が良い場合や以前の通信が良好だった場合には、伝送が速やかに終了し、メモリが速やかに開放されると判断し、画像データの伝送を開始する。【選択図】  図１
2005167695.tif 000002
【特許請求の範囲】
【請求項１】
メモリおよび通信手段を備えたカードを装着可能な手段を有する電子式撮像装置において、前記電子式撮像装置に内蔵のバッファメモリに一時的に記録されている画像データ或いは、メモリおよび通信手段を備えたカードの前記メモリに記録されている画像データを前記カードの通信手段により外部へ送信することが指示された場合、回線品質を参照し、前記回線品質の内容に応じて外部への送信を開始するかどうかの判断を行う制御手段を有することを特徴とする電子式撮像装置。
【請求項２】
メモリおよび通信手段を備えたカードを装着可能な手段を有する電子式撮像装置において、前記電子式撮像装置に内蔵のバッファメモリに一時的に記録されている画像データ或いは、メモリおよび通信手段を備えたカードの前記メモリに記録されている画像データを前記カードの通信手段により外部へ送信することが指示された場合、通信履歴を参照し、前記通信履歴の内容に応じて外部への送信を開始するかどうかの判断を行う制御手段を有することを特徴とする電子式撮像装置。
【発明の詳細な説明】
【技術分野】
【０００１】
本発明は、電子式撮像装置に関する。
【背景技術】
【０００２】
従来の電子的なカメラは、撮像動作によって得た画像信号を、当該カメラに適用可能な記録媒体に記録するだけのものであった。しかし、近年では、デジタル化された画像データを圧縮処理するなどして記録すると共に、必要に応じて、カメラに内蔵した通信手段を用いて外部へデータを伝送することが行われつつある。また、通信手段としてはカメラ内蔵のものだけではなく、メモリカードと相似な外形を持った通信カードをカメラ本体に装着することで、モデム或いは種々の通信機能を実現することもある。
【０００３】
この種のカメラとしては、例えば特開平９−８３９３０号公報に記載のものが既に出願されている。同公報記載のカメラは、画像信号をカメラ本体の装着部に装着された画像記録媒体に記録する記録手段と、該記録手段によって画像記録媒体に記録された画像データを外部の回線を通して伝送する画像通信手段を有し、上記記録手段によって処理された画像データを保持するために上記カメラに内蔵されて設けられたバッファメモリと、上記本体装着部に上記画像記録媒体が装着されていることを検出したときには上記記録手段に対して該画像記録媒体にのみ画像データを記録し、且つ、上記画像通信手段に対し画像記録媒体に記録された画像データを画像通信手段を用いて伝送するように制御する制御手段と、本体装着部に装着されているデバイスが画像通信回路デバイスであることを検出したときには上記記録手段に対して上記バッファメモリに画像データを保持するように制御し、且つ、上記画像通信手段に対し該画像通信手段を用いてこのバッファメモリに保持された画像データを外部の回線を通して伝送するように制御する制御手段と、上記記録手段によって処理された画像データを保持するために上記カメラに内蔵されて設けられたバッファメモリと、上記画像通信手段による伝送の対象となる画像データの記録媒体を上記画像記録媒体またはバッファメモリのいずれかのうちから選択する伝送データ保持媒体選択手段とを備えた構成となっている。
【特許文献１】特開平９−８３９３０号公報
【発明の開示】
【発明が解決しようとする課題】
【０００４】
しかしながら、上述した従来例においては、例えばデジタルカメラにより撮影した画像を、直接画像データバッファメモリからメモリおよび通信手段を備えたカードの同通信手段を用いて送信する場合、或いはメモリおよび通信手段を備えたカードの同メモリ手段に保存されている画像データを一旦画像データバッファメモリに転送してからメモリおよび通信手段を備えたカードの同通信手段を用いて送信する場合、或いはメモリ及び通信手段を備えたカードの同メモリー手段に保存されている画像データを直接同メモリ手段から同通信手段を用いて送信する場合、同通信手段がモデムや無線通信手段等の低速伝送しかできないものであると、カメラの画像データバッファメモリが開放されるまでに時間がかかり、通信が完了するまでの間は新たな撮影ができなくなってしまうという問題があった。
【０００５】
本発明は、上述した点に鑑みてなされたものであり、カメラの信号処理で用いる画像データバッファメモリを短時間に開放することを可能とすることを目的とする。
【課題を解決するための手段】
【０００６】
上記目的を達成するために、請求項１記載の発明によれば、メモリおよび通信手段を備えたカードを装着可能な手段を有する電子式撮像装置において、電子式撮像装置に内蔵のバッファメモリに一時的に記録されている画像データ或いは、メモリおよび通信手段を備えたカードの前記メモリに記録されている画像データを前記カードの通信手段により外部へ送信することが指示された場合、回線品質を参照し、前記回線品質の内容に応じて外部への送信を開始するかどうかの判断を行う制御手段を有することを特徴とする。
【０００７】
請求項２記載の発明によれば、メモリおよび通信手段を備えたカードを装着可能な手段を有する電子式撮像装置において、電子式撮像装置に内蔵のバッファメモリに一時的に記録されている画像データ或いは、メモリおよび通信手段を備えたカードの前記メモリに記録されている画像データを前記カードの通信手段により外部へ送信することが指示された場合、回線品質を参照し、前記回線品質の内容に応じて外部への送信を開始するかどうかの判断を行う制御手段を有することを特徴とする。
【発明の効果】
【０００８】
以上詳述したように本発明によれば、電子式撮像装置の信号処理で用いる画像データバッファメモリを短時間に開放することが可能となり、シャッターチャンスを逃さず使い勝手のよい同電子式撮像装置の実現が可能となる。
【発明を実施するための最良の形態】
【０００９】
（実施例１）
以下、本発明の実施の形態を図面を参照して説明する。図１は、本発明に係わる電子式撮像装置の第１の実施の形態の構成を示すブロック図である。ここでは、カメラ装置本体と、該カメラ装置本体に装着されたメディアカードの構成を示す。メディアカードは、メモリカードと相似な外形をもち、カメラ装置本体にメモリカードに代わって装着されるものである。図中１０１はメディアカード、１０２はカメラ装置本体である。メディアカード１０１において、１０３は通信回路であり、例えば無線伝送を行うための制御プロトコルを含む。１０４は不揮発性メモリであり、例えばフラッシュＲＯＭから成り、撮影した画像データを保存するために用いられる。１１２はＩＣカードインターフェイス回路であり、メディアカード１０１がカメラ装置本体１０２とデータの送受信を行う際に使用される。カメラ装置本体１０２において、１０５は動作制御を行う制御回路であり、その制御内容は図２〜図１１を参照して後述する。１０６はＩＣカードインターフェイス回路であり、カメラ装置本体１０２がメディアカード１０１とデータの送受信を行う際に使用される。１０７はバッファメモリであり、撮影された画像データに対して例えばＪＰＥＧ等の符号化処理が施された後の画像データを一時保管する。１０８は表示・スイッチ制御回路であり、カメラ装置本体１０２に配置されたスイッチ１０９および液晶画像表示装置（以下「ＬＣＤ」という）１１０の制御を行う。１０９は各種スイッチ（ＳＷ）であり、撮影表示を行うための撮影スイッチ、メニュー表示の指示を行うためのメニュースイッチ等から成る。１１０は液晶画像表示装置（ＬＣＤ）であり、ユーザーが撮影すべき画像を決定したり、既に撮影された画像を確認するときに画像表示を行う。１１１は画像コーデックであり、画像データの圧縮・符号化処理及び復号化を行う。１１３は撮像回路であり、制御回路１０５の指示に従ってズームレンズ１１５等の光学系を制御したり、光電変換素子ＣＣＤ１１６からの撮像信号に対して画像処理を施して画像データへの変換を行う。１１４はフレームメモリであり、撮像回路１１３により生成された非圧縮画像データを保管する。
【００１０】
図２は、図１に示すカメラ装置全体１０２の制御回路１０５における各種処理状態の遷移を示す状態遷移図である。
【００１１】
図中２０１はスタンバイ状態を示し、電源投入後の初期化が終了した後、ユーザからの操作入力があるまで待機している状態である。２０２はメニュー選択状態を示し、ユーザがカメラ装置本体１０２のスイッチ１０９のうちメニュースイッチをオンしたとき、カメラ装置本体１０２の持つ各機能を示すメニューが表示され、それらのいずれかが選択されるまで待機している状態である。２０３は通信制御状態を示し、表示されたメニューから「通信」が選択された場合に移行する状態である。２０４は撮影処理画像確認状態を示し、スイッチ１０９のうち撮影スイッチがオンされたとき移行する状態であり、この状態では、撮影された画像データは符号化され、バッファメモリ１０７に一時保管される。それと同時に、撮影された画像の確認用の表示が行われる。２０５はデータ伝送／保存処理状態を示し、「送信指示」が行われたとき、バッファメモリ１０７に一時保管されていた画像データがメディアカード１０１に転送され、通信回路１０３を介して外部へ送信されると共に、不揮発性メモリ１０４に保存される状態である。
【００１２】
以上説明した各状態は、撮影画像に対して送信処理が行われる場合の各状態であるが、制御回路１０５の各種処理状態には、送信処理が行われない通常の撮影における撮影処理状態２０６、データ保存処理状態２０７等がある。
【００１３】
図３は、スタンバイ状態２０１において制御回路１０５で実行される処理の手順を示すフローチャートである。図４は、メニュー選択状態２０２において制御回路１０５で実行される処理の手順を示すフローチャートである。図５、６は、通信制御状態２０３において制御回路１０５で実行される処理の手順を示すフローチャートである。図７、８、１２は撮影処理画像確認状態２０４において制御回路１０５で実行される処理の手順を示すフローチャートである。図９は、データ伝送／保存処理状態２０５において制御回路１０５で実行される処理の手順を示すフローチャートである。図１０、１１は、中断処理において制御回路１０５で実行される処理の手順を示すフローチャートである。
【００１４】
以下に、カメラ装置本体１０２の具体的な各動作について、図３〜図１２を適宜参照しながら説明を行う。
【００１５】
初めに通常の撮影動作について説明を行う。
【００１６】
カメラ装置本体１０２の電源が投入されると、制御回路１０５はカメラ装置本体１０２の初期化を行った後、スタンバイ状態２０１に移行する。（図３）その後ユーザによりスイッチ１０９のうち撮影スイッチが押されると（Ｓ１でＹＥＳ）制御回路１０５は通常の撮影が求められていると判断し、撮影処理状態２０６（図２）に移行する（Ｓ５）。
【００１７】
撮影処理状態２０６では、制御回路１０５が撮像回路１１３に画像の取り込み指示を出力する。この指示を受けた撮像回路１１３では、ＣＣＤ１１６から送られた撮像信号を基に画像処理を行い、画像データをフレームメモリ１１４に保存する。その後、制御回路１０５は画像ＣＯＤＥＣ１１１に画像データの圧縮・符号化指示を出す。この指示を受けた画像ＣＯＤＥＣ１１１は画像データの変換処理を行い、得られた画像データを、ＩＣカードインターフェイス回路１０６を介してバッファメモリ１０７に送って一時保管し、処理終了を制御回路１０５に通知する。この通知を受けた制御回路１０５は、次にデータ保存処理状態２０７（図２）に移行する。
【００１８】
データ保存処理状態２０７では、ファイル名、保存日時等の情報をメディアカード１０１内の不揮発性メモリ１０４に書き込んだ後に、符号化された画像データをバッファメモリ１０７から読み出して、ＩＣカードインターフェイス回路１０６を介して不揮発性メモリ１０４に転送して記憶させ、転送が終了するとスタンバイ状態２０１に移行し、新たなユーザ操作があるまで待機する。
【００１９】
次に、メニューにおいて「通信」を選択した場合の動作について説明する。スタンバイ状態２０１の時に、ユーザがスイッチ１０９内のメニュースイッチをオンした場合（Ｓ２でＹＥＳ）、制御回路１０５はメニュー選択状態２０２に移行する（Ｓ６、図４）。
【００２０】
メニュー選択状態２０２では、撮影モード、画像消去、通信等のメニューが表示され、それらのいずれかが選択されるまで待機する。なお、このメニュー表示において、メディアカード１０１の持つ機能の確認が行われ（Ｓ１１）、メディアカード１０１において通信機能を備えている場合（Ｓ１２でＹＥＳ）、通信メニューを有効表示する（Ｓ１３）。一方、メディアカード１０１において通信機能を備えていない場合（Ｓ１２でＮＯ）、通信メニューを無効表示する（Ｓ１４）。
【００２１】
通信メニューが有効であるとき（Ｓ１５でＹＥＳ）、メニューにおいて「通信」が選択されると（Ｓ１６でＹＥＳ）、制御回路１０５は通信制御状態２０３に移行する（Ｓ２０、図５）。
【００２２】
通信制御状態２０３では、まず、ユーザから接続指示があった場合（Ｓ３１でＹＥＳ）、通信機能を確認し（Ｓ３２）、メディアカード１０１の通信回路１０３に対して、通信範囲内に存在する無線通信可能な通信端末を検出するように指示を出す（Ｓ３３）。この指示を受けた通信回路１０３は、予め通信相手が固定登録されている場合は、登録されている相手先情報を制御回路１０５に対して返し、また、予め登録されていない場合は、通信範囲内にある無線通信可能端末の検索動作を行い、この動作に対して応答があった全ての通信端末の相手先情報を制御回路１０５に対して返す。
【００２３】
検索結果の応答があると（Ｓ３４でＹＥＳ）、この情報を受信した制御回路１０５は、表示・スイッチ制御回路１０８を介してこの情報をＬＣＤ１１０に送って表示し（Ｓ３５）、ユーザが通信相手を選択するまで待機する。
【００２４】
この表示された情報から、ユーザがスイッチ１０９の操作により通信相手を選択すると（Ｓ３６でＹＥＳ）、表示・スイッチ制御回路１０８から、この選択された通信相手を示す情報が制御回路１０５に送られる。制御回路１０５では、この選択通信相手情報に基づいて、メディアカード１０１の通信回路１０３に接続指示信号を送出し（Ｓ３７）、スイッチ１０９の撮影スイッチが押されるまで待機する。ユーザがスイッチ１０９の撮影スイッチをオンすると（Ｓ４０でＹＥＳ）、表示・スイッチ制御回路１０８から撮影指示信号が制御回路１０５に送出され、この撮影指示信号を受けた制御回路１０５は撮影処理画像確認状態２０４に移行する（Ｓ４１、図７）。
【００２５】
なお、ステップＳ３７で接続指示信号を送られた通信回路１０３では、その接続指示信号に基づいてコネクションの確立を行い、コネクションの確立が行われると制御回路１０５に対し接続完了通知を送出する。
【００２６】
撮影処理画像確認状態２０４では、図３のステップＳ５の撮影処理と同様に、制御回路１０５が撮像回路１１３に画像取り込み指示を送出し、これを受けた撮像回路１１３が、画像データの一連の取り込み動作を行い、画像取り込みが完了すると（Ｓ５１でＹＥＳ）、制御回路１０５はフレームメモリ１１４に保管された画像データを読み出し、表示・スイッチ制御回路１０８を介してＬＣＤ１１０に撮影した画像を表示させる（Ｓ５２）。また、送信選択メニューの表示を行う（Ｓ５３）。
【００２７】
仮にこの時、ユーザが撮影画像をキャンセルしたい場合は、スイッチ１０９の操作によりキャンセルすることが可能であり、このキャンセル指示信号を表示・スイッチ制御回路１０８から制御回路１０５が受けると（Ｓ５４でＹＥＳ）、制御回路１０５は通信制御状態２０３に移行し（Ｓ５５）、新たに撮影スイッチが押されるまで待機を行う（図６のＳ４０）。
【００２８】
一方、ステップＳ５２で表示された撮影画像をユーザが確認し、この撮影画像をユーザが確認し、この撮影画像を転送したい場合、ユーザはスイッチ１０９を操作して、表示メニューから「送信指示」を選択する（Ｓ５６でＹＥＳ）。表示メニューから「送信指示」が選択されると、制御回路１０５は通信回路１０３に回線品質取得指示を送出し、これを受けた通信回路１０３が、回線品質（受信電界強度、受信電力、等）の一連の取り込み動作を行い結果を制御回路１０５に受け渡す（Ｓ７０１）。通信相手先端末との不用の通信を出来るだけ削減するために、受け渡された回線品質が所望の値Ｔｈよりも小さく、安定した回線品質が確保される確率が低いと判断された場合（Ｓ７０２でＮＯ）、コネクションの確立フローに入らずステップＳ７０３に移行する。ステップＳ７０３において、制御回路１０５は表示・スイッチ制御回路１０８を介してＬＣＤ１１０に回線品質の説明を表示させ、ユーザが現在回線品質が悪いので通信が行われていない状況を把握できるようにする。受け渡された回線品質が所望の値Ｔｈよりも大きく、安定した回線品質が確保される確率が高いと判断された場合（Ｓ７０２でＹＥＳ）、制御回路１０５はデータ伝送／保存処理状態２０５に移行する（Ｓ５７、図９）。
【００２９】
データ伝送／保存処理状態２０５では、制御回路１０５はまず、メディアカード１０１内の不揮発性メモリ１０４にファイル名、保存日時等の情報を書き込み（Ｓ７１）、次にメディアカード１０１内のＩＣカードインターフェイス回路１１２に対して、通信回路１０３及び不揮発性メモリ１０４に共通に画像データを書き込むための指示信号を出力し（Ｓ７２）、その後、通信パケットヘッダーを生成する（Ｓ７４）。そして、データ転送数（レングス長）をセットし（Ｓ７５）、通信パケットヘッダーを転送し（Ｓ７６）、ヘッダーに示されるレングス長分の画像データをバッファメモリ１０７からメディアカード１０１へ転送させるための指示を、カメラ装置本体１０２内のＩＣカードインターフェイス回路１０６に与える（Ｓ７７）。
【００３０】
この指示を受けたＩＣカードインターフェイス回路１０６は、その指示で示されるレングス長分の画像データをメディアカード１０１へ転送し、転送が完了すると制御回路１０５に対して転送完了信号を出力する。この転送完了信号を受信して初めて制御回路１０５は次のステップに進む（Ｓ９０８でＹＥＳ）。
【００３１】
一方、通信データのヘッダーを受けたメディアカード１０１内のＩＣカードインターフェイス回路１１２は、ヘッダー情報のみを通信回路１０３に転送し、その後続いて転送される画像データを通信回路１０３と不揮発性メモリ１０４とに同時に転送する。
【００３２】
この手順は、転送すべき画像データが全て送られるまで繰り返し行われ、全ての画像データが転送されると（Ｓ９１１でＹＥＳ）制御回路１０５は一連の通信制御を終了し、スタンバイ状態２０１に移行する（Ｓ９１３）。
【００３３】
次に、コネクションの確立が失敗した場合の動作について説明を行う。
【００３４】
まず、図５に示すステップＳ３１〜Ｓ３７の手順に基づいてコネクションの確立を行い、制御回路１０５から通信回路１０３に接続指示が送出された場合（図５のＳ３７）、通信回路１０３は指示に従って通信相手とのコネクションの確立動作を行う。しかし、仮に指示された通信相手が既に他局との通信中で新たなコネクションの確立が出来ない場合や、通信相手が通信範囲内に存在しない場合等の理由によりコネクションが確立できないと、通信回路１０３は制御回路１０５に対しコネクション確立エラー表示信号（接続エラー通知）を送出する。
【００３５】
この信号を受けた制御回路１０５は（図６のＳ４２でＮＯ、Ｓ４３でＹＥＳ）、表示・スイッチ制御回路１０８を介してＬＣＤ１１０に通信接続エラーメッセージを表示する（Ｓ４４）。このメッセージを見たユーザはコネクションの再確立指示またはキャンセル指示を、スイッチ１０９を操作することにより選択し、この選択された指示に従って、制御回路１０５は通信回路１０３に動作指示信号の送出を行う。
【００３６】
仮にこの時ユーザがキャンセルを選択した場合（Ｓ４５でＹＥＳ）、制御回路１０５は一連の通信制御を中断し（Ｓ４６）、通信制御状態２０３からスタンバイ状態２０１に移行する（Ｓ４７）。
【００３７】
また、コネクション確立の失敗が撮影処理画像確認状態２０４で発生した場合、制御回路１０５は通信接続エラー通知を受信し（図８のＳ５８でＹＥＳ）、制御回路１０５は撮影処理画像確認状態２０４からデータ保存処理状態２０７（Ｓ６２）に移行し、一連の通常の画像データ保存を行った後、スタンバイ状態２０１に移行する。
【００３８】
続いて、コネクションの確立が終了し、画像データの転送中に通信回線の状態が悪化し、画像データの転送中に通信回線の状態が悪化し、コネクションが切断された場合の動作について説明を行う。
【００３９】
上記正常データ伝送中に、何らかの理由により通信回線の状態が悪化し、コネクションが切断された場合（図９のＳ９０９でＹＥＳ）、通信回路１０３から制御回路１０５に対し通信中断エラーメッセージが送出される。
【００４０】
この信号を受けた制御回路１０５は、図１０に示すように、表示・スイッチ制御回路１０８を介してＬＣＤ１１０に通信中断エラーメッセージを表示すると共に（Ｓ９１）、中断処理メニューを表示する（Ｓ９２）。
【００４１】
そして、画像データの転送状態の確認を行う。仮にこの時、カメラ装置本体１０２内のＩＣカードインターフェイス回路１０６からデータ転送完了信号が届くことを待っている場合は、この信号を受け取るまで動作を待機する。そして、データ転送完了信号を制御回路１０５が受信すると（Ｓ９３でＹＥＳ）、制御回路１０５はメディアカード１０１内のＩＣカードインターフェイス回路１１２に対し、不揮発性メモリ１０４のみへのデータ転送指示を出力し（Ｓ９４）、その後、カメラ装置本体１０２内のＩＣカードインターフェイス回路１０６に転送を終えていない画像データのレングス長情報（転送数）を出力し（Ｓ９５）、残りの画像データすべてを不揮発性メモリ１０４へ転送させる（Ｓ９６、Ｓ９７）。
【００４２】
通信中断メッセージを確認したユーザは、スイッチ１０９の操作により、再度データの転送を行うか、データの転送をキャンセルかを選択し、仮に再送信を選択した場合（Ｓ９８でＹＥＳ）、制御回路１０５は、データの保存処理が終了した時点で、再度通信回路１０３に対し接続指示を出力し（Ｓ１０１）、通信回路１０３から接続完了通知が届くまで待機する。
【００４３】
制御回路１０５は接続完了を受信すると（Ｓ１０２でＹＥＳ）、画像データをバッファメモリ１０７からメディアカード１０１の通信回路１０３へ書き込む指示を出し（Ｓ１０３）、各ＩＣカードインターフェイス回路１０６、１１２及び通信回路１０３は、先に説明した一連のデータ転送動作を行い、画像データの再送信を完了するまで行う（Ｓ１０４、図９のＳ７３）。
【００４４】
仮にユーザがキャンセルを選択した場合（Ｓ９８でＮＯ、Ｓ９９でＹＥＳ）、制御回路１０５はデータの保存動作が完了するまでデータ伝送／保存処理状態２０５に待機し、画像データの保存が完了するとスタンバイ状態２０１に移行する（Ｓ１００）。
【００４５】
この一連動作において、通信相手とのコネクションの確立は通信制御状態２０３で行っているが、コネクションの確立タイミングはこの限りではなく、画像を選択して送信指示を受けてから行うことも可能である。
【００４６】
（実施例２）
次に、第２の実施の形態を説明する。
【００４７】
本発明の第２の実施の形態の構成は、基本的に第１の実施の形態の構成と同じであるので、第２の実施の形態の説明においては、第１の実施の形態の構成を流用し、異なる構成部分だけを説明する。
【００４８】
第２の実施の形態では、通信を開始するのに先立ち、第１の実施例で参照していた回線品質の代わりに、受信履歴を使用することにより同様の効果を実現する。
【００４９】
以下、図１２のフロー図を用いて異なる部分の説明をする。同図中、第１の実施の形態の構成と同じ構成部分には同一の参照番号を付してその説明を省略する。
【００５０】
ステップＳ５２で表示された撮影画像をユーザが確認し、この撮影画像をユーザが確認し、この撮影画像を転送したい場合、ユーザはスイッチ１０９を操作して、表示メニューから「送信指示」が選択されると、制御回路１０５は、制御回路１０５が保有する通信履歴を参照し或いは、通信回路１０３に通信履歴取得指示を送出し、これを受けた通信回路１０３が、通信履歴を制御回路１０５に受け渡す（Ｓ７０１）。通信相手先端末との不用の通信を出来るだけ削減するために、受け渡された通信履歴が良好でなく、安定した回線品質が確保される確率が低いと判断された場合（Ｓ１２０２でＮＯ）、コネクションの確立フローに入らずステップＳ１２０３に移行する。ステップＳ１２０３において、制御回路１０５は表示・スイッチ制御回路１０８を介してＬＣＤ１１０に通信履歴の説明を表示させ、ユーザが現在、通信相手先端末との通信履歴が良好でなく安定した回線品質が確保される確率が低いので通信が行われていない状況を把握できるようにする。受け渡された通信履歴が良好であり、安定した回線品質が確保される確率が高いと判断された場合（Ｓ１２０２でＹＥＳ）、制御回路１０５はデータ伝送／保存処理状態２０５に移行する（Ｓ５７、図９）。
【図面の簡単な説明】
【００５１】
【図１】本発明の第１ならびに第２の実施例における電子式撮像装置の構成例を示した図である。
【図２】本発明の第１ならびに第２の実施例における電子式撮像装置の制御回路の処理状態を示す状態遷移図である。
【図３】本発明の第１ならびに第２の実施の形態に係わる電子式撮像装置におけるスタンバイ状態での動作を示すフローチャートである。
【図４】本発明の第１ならびに第２の実施の形態に係わる電子式撮像装置におけるメニュー選択状態での動作を示すフローチャートである。
【図５】本発明の第１ならびに第２の実施の形態に係わる電子式撮像装置における通信制御状態での動作を示すフローチャートである。
【図６】本発明の第１ならびに第２の実施の形態に係わる電子式撮像装置における通信制御状態での動作を示すフローチャートである。
【図７】本発明の第１の実施の形態に係わる電子式撮像装置における撮影処理画像確認状態での動作を示すフローチャートである。
【図８】本発明の第１ならびに第２の実施の形態に係わる電子式撮像装置における撮影処理画像確認状態での動作を示すフローチャートである。
【図９】本発明の第１ならびに第２の実施の形態に係わる電子式撮像装置におけるデータ伝送保存処理状態での動作を示すフローチャートである。
【図１０】本発明の第１ならびに第２の実施の形態に係わる電子式撮像装置におけるデータ伝送保存処理状態での動作を示すフローチャートである。
【図１１】本発明の第１ならびに第２の実施の形態に係わる電子式撮像装置におけるデータ伝送保存処理状態での動作を示すフローチャートである。
【図１２】本発明の第２の実施の形態に係わる電子式撮像装置における撮影処理画像確認状態での動作を示すフローチャートである。
【符号の説明】
【００５２】
１０１  メディアカード（カード）
１０２  カメラ装置全体（電子式撮像装置）
１０３  通信回路（通信手段）
１０４  不揮発性メモリ
１０５  制御回路（制御手段）
１０６  ＩＣカードインターフェイス回路
１０７  バッファメモリ（一時保存手段）
１１２  ＩＣカードインターフェイス回路
２０１  スタンバイ状態
２０２  メニュー選択状態
２０３  通信制御状態
２０４  撮影処理画像確認状態
２０５  データ伝送／保存処理状態
２０６  撮影処理状態
２０７  データ保存処理状態
【図１】
2005167695.tif 000003
【図２】
2005167695.tif 000004
【図３】
2005167695.tif 000005
【図４】
2005167695.tif 000006
【図５】
2005167695.tif 000007
【図６】
2005167695.tif 000008
【図７】
2005167695.tif 000009
【図８】
2005167695.tif 000010
【図９】
2005167695.tif 000011
【図１０】
2005167695.tif 000012
【図１１】
2005167695.tif 000013
【図１２】
2005167695.tif 000014